(57)【要約】【課題】反射効率の低下を抑え、更に、照明空間における見栄えを良くすること。【解決手段】照明器具１は、光源と器具本体３とを備える。器具本体３は、少なくとも一対の側板３０と延長部３２と起立部３３と突出部３４とを備える。延長部３２は、側板３０の反射面３１と連続する反射面３２Ａを有し、照明空間に向かって一方向に延びる。起立部３３は、延長部３２の上記一方向における先端３２Ｂから照明空間と離れる方向に起き立つ。突出部３４は、起立部３３から光源と離れる方向に突出する。器具本体３は、突出部３４がＴバー６のフランジ７に載せ置かれることで、一対のＴバー６に支持される。フランジ７は、化粧部８を有する。延長部３２は、突出部３４がフランジ７に載せ置かれたときに化粧部８における光源と対向する一側面８０を覆う位置まで延びている。【選択図】図２
2018006095.tif 000002
【特許請求の範囲】
【請求項１】
互いに対向する少なくとも一対のＴバーによって支持される照明器具であって、光源と、一面が開放される箱形状に形成された器具本体と、を備え、
前記器具本体は、前記光源を開放された前記一面から照明空間に露出するよう支持し、
前記器具本体は、
各々が前記光源と対向する反射面を有し、互いに対向する少なくとも一対の側板と、
前記一対の側板の各々の前記反射面と連続する反射面を有し、前記照明空間に向かって一方向に延びる延長部と、
前記延長部の前記一方向における先端から前記照明空間と離れる方向に起き立つ起立部と、
前記起立部から前記光源と離れる方向に突出する突出部と、
を備え、
前記器具本体は、前記突出部が前記一対のＴバーのうち対応するＴバーのフランジに載せ置かれることで、前記一対のＴバーに支持され、
前記フランジは、前記照明空間に露出する化粧部を有し、
前記延長部は、前記突出部が前記対応するＴバーの前記フランジに載せ置かれたときに前記化粧部における前記光源と対向する一側面を覆う位置まで延びている
ことを特徴とする照明器具。
【請求項２】
前記一対のＴバーとしての一対の第１のＴバーに加えて、互いに対向する一対の第２のＴバーによってさらに支持され、
前記一対の第２のＴバーは、前記一対の第１のＴバーを架け渡すように設置され、
前記光源は、長尺状に形成され、
前記器具本体は、前記一対の側板としての一対の第１の側板に加えて、前記一対の第１の側板を架け渡すように結合された互いに対向する一対の第２の側板を、さらに備え、
前記一対の第１の側板は、前記光源の長手方向に沿って長尺状に形成され、
前記延長部、前記起立部及び前記突出部は、前記一対の第１の側板及び前記一対の第２の側板のうち前記一対の第１の側板の各々のみに設けられ、
前記突出部は、前記一対の第１のＴバーの各々における前記フランジに載せ置かれ、
前記一対の第２の側板は、前記一対の第２のＴバーのフランジに直接載せ置かれる
ことを特徴とする請求項１に記載の照明器具。
【請求項３】
前記延長部の前記先端は、前記突出部が前記対応するＴバーの前記フランジに載せ置かれたときに、鉛直方向において前記化粧部の下面と同じ位置にある
ことを特徴とする請求項１又は２に記載の照明器具。
【発明の詳細な説明】
【技術分野】
【０００１】
本発明は、一般に照明器具に関し、より詳細にはＴバーによって支持される照明器具に関する。
【背景技術】
【０００２】
従来、複数のＴバーが天井面に設けられた天井において、Ｔバーによって支持されるシステム天井形照明装置（照明器具）が知られている（例えば特許文献１参照）。
【０００３】
この特許文献１に記載される照明装置は、照明器具本体がＴバーに載せ置かれることで支持されるため、Ｔバーに対する取り付け及び取り外しを容易に行うことができる。
【先行技術文献】
【特許文献】
【０００４】
【特許文献１】特開２００３−３０８７２３号公報
【発明の概要】
【発明が解決しようとする課題】
【０００５】
特許文献１に記載の照明装置では、照明器具本体の反射板の先端がＴバー（のフランジ）上に直接載せ置かれており、光源と対向するＴバーの側面と反射板の表面との間に段差（又は隙間）が形成されている。そのため、光源から放射された光の一部が直接当該段差に当たり（又は隙間に入り込み）、照明空間への反射効率が低下する問題があった。また、光源からの光の一部が当該段差に当たることで当該段差に沿った線状の影が生じて、照明空間内の人からこの影が見えてしまい、照明空間における照明器具本体の見栄えが悪いという問題もあった。
【０００６】
本発明は上記事由に鑑みてなされ、反射効率の低下を抑えることができ、更に、照明空間における見栄えを良くすることができる照明器具を提供することを目的とする。
【課題を解決するための手段】
【０００７】
本発明の一態様に係る照明器具は、互いに対向する少なくとも一対のＴバーによって支持される。当該照明器具は、光源と器具本体とを備える。前記器具本体は、一面が開放された箱形状に形成される。前記器具本体は、前記光源を開放された前記一面から照明空間に露出するように支持する。前記器具本体は、少なくとも一対の側板と、延長部と、起立部と、突出部と、を備える。前記一対の側板は、各々が前記光源と対向する反射面を有し、互いに対向する。前記延長部は、前記一対の側板の各々の前記反射面と連続する反射面を有し、前記照明空間に向かって一方向に延びる。前記起立部は、前記延長部の前記一方向における先端から前記照明空間と離れる方向に起き立つ。前記突出部は、前記起立部から前記光源と離れる方向に突出する。前記器具本体は、前記突出部が前記一対のＴバーのうち対応するＴバーのフランジに載せ置かれることで、前記一対のＴバーに支持される。前記フランジは、前記照明空間に露出する化粧部を有する。前記延長部は、前記突出部が前記対応するＴバーの前記フランジに載せ置かれたときに前記化粧部における前記光源と対向する一側面を覆う位置まで延びている。
【発明の効果】
【０００８】
本発明は、反射効率の低下を抑えることができ、更に、照明空間における見栄えを良くすることができる、という利点がある。
【図面の簡単な説明】
【０００９】
【図１】図１は、本発明の実施形態に係る照明器具が一対のＴバーに載せ置かれた状態を示す斜視図である。
【図２】図２は、同上の照明器具の要部の拡大断面図である。
【図３】図３は、同上の照明器具がシステム天井に設置された状態を示す斜視図である。
【発明を実施するための形態】
【００１０】
（実施形態）
（１）概要
以下の実施形態において説明する各図は、模式的な図であり、図１〜図３中の各構成要素の大きさや厚さそれぞれの比が、必ずしも実際の寸法比を反映しているとは限らない。
【００１１】
本実施形態の照明器具１（以下、単に「照明器具１」という）は、図１及び図３に示すように、システム天井５（図３参照）における互いに対向する少なくとも一対のＴバー６によって支持される。照明器具１は、光源２と、器具本体３と、を備える。
【００１２】
器具本体３は、一面が開放された箱形状に形成される。器具本体３は、光源２を開放された上記一面から照明空間に露出するように支持する。ここで言う照明空間は、例えばシステム天井５がオフィスビル内の天井として提供される場合、システム天井５の天井面下にあるオフィス空間である。
【００１３】
器具本体３は、図２に示すように、少なくとも一対の側板３０（図３参照）と、延長部３２と、起立部３３と、突出部３４と、を備える。一対の側板３０は、各々が光源２と対向する反射面３１を有し、互いに対向する。
【００１４】
延長部３２は、図２に示すように、一対の側板３０の各々の反射面３１と連続する反射面３２Ａを有し、照明空間に向かって一方向に延びる。ここで「反射面３１と連続する反射面３２Ａ」とは、反射面３１と反射面３２Ａとの間に境目が無く、反射面３１と反射面３２Ａとが一反射面を形成していることを意味する。
【００１５】
起立部３３は、延長部３２の上記一方向における先端３２Ｂから照明空間と離れる方向に起き立つ。突出部３４は、起立部３３から光源２と離れる方向に突出する。
【００１６】
器具本体３は、図２に示すように、突出部３４が一対のＴバー６のうち対応するＴバー６のフランジ７に載せ置かれることで、一対のＴバー６に支持される（図１参照）。
【００１７】
フランジ７は、照明空間に露出する化粧部８を有する。延長部３２は、突出部３４が上記対応するＴバー６のフランジ７に載せ置かれたときに化粧部８における光源２と対向する一側面８０を覆う位置まで延びている。つまり、化粧部８の一側面８０は、照明空間側から延長部３２の反射面３２Ａと交差する方向から見たときに、反射面３２Ａの裏側に隠れることになる。
【００１８】
（２）詳細
（２．１）システム天井
まず、照明器具１が設置されるシステム天井５について、図１〜図３を参照して詳しく説明する。システム天井５は、図３に示すように、例えばオフィスビル内の天井として提供され、矩形板状の複数の天井面材５０と、複数の天井面材５０を支持するための支持フレーム５１と、を備える。なお、図３は、システム天井５を下から見上げたときの斜視図である。
【００１９】
複数の天井面材５０の各々は、例えば、意匠性、不燃性、吸音性、断熱性等を有したロックウール化粧吸音板からなる、所謂天井パネルである。
【００２０】
支持フレーム５１は、複数のＴバー６が縦方向及び横方向に並ぶように互いに結合されることで構成される。すなわち、システム天井５は、例えば、グリッドタイプのシステム天井を構成する。
【００２１】
各Ｔバー６は、例えば亜鉛鋼板によって略長尺板形状に形成されている。各Ｔバー６は、天井面材５０又は照明器具１が載せ置かれるための一対のフランジ７，７（図２参照）を有している。フランジ７，７は、各Ｔバー６の腹部の下端から外側にそれぞれ直角に突出する。
【００２２】
フランジ７，７の各々は、折り曲げ加工によって、Ｔバー６の長手方向に沿って見たときに、略Ｊ字形状に形成されている。そして、フランジ７，７は、互いの開口する面が対向し合うように配置されている。
【００２３】
各フランジ７は、照明空間に露出する化粧部８（図２参照）を有する。化粧部８は、照明空間と対向する一面（図２では下面）８１を有する。また、化粧部８は、天井面材５０又は照明器具１と対向する一側面８０Ａを有する。なお、化粧部８は、意匠性を考慮してカラー鋼板によって覆われていてもよい。
【００２４】
照明器具１は、図３に示すように、４つのＴバー６によって形成された長尺矩形状の区画に配置される。上記区画の縦寸法は、その横寸法よりも長い。照明器具１は、この４つのＴバー６のフランジ７上に載せ置かれる。
【００２５】
以下では、この４つのＴバー６を一対の「第１のＴバー６Ａ，６Ａ」及び一対の「第２のＴバー６Ｂ，６Ｂ」と称する。各第１のＴバー６Ａのフランジ７を「フランジ７Ａ」と称し、各第２のＴバー６Ｂのフランジ７を「フランジ７Ｂ」（図３参照）と称する。フランジ７Ａの化粧部８を「化粧部８Ａ」と称し、フランジ７Ｂの化粧部８を「化粧部８Ｂ」（図３参照）と称する。
【００２６】
第１のＴバー６Ａ，６Ａは、図３に示すように、上記区画の横方向において並んでいる隣り合うＴバーである。第１のＴバー６Ａ，６Ａの長手方向は、照明器具１の長手方向と平行である。第２のＴバー６Ｂ，６Ｂは、上記区画の縦方向において並んでいる隣り合うＴバーである。第２のＴバー６Ｂ，６Ｂは、第１のＴバー６Ａ，６Ａを架け渡すように配置されている。
【００２７】
（２．２）照明器具
以下、照明器具１の構成について、図１〜図３を参照して詳しく説明する。
【００２８】
以下の説明では、特に断りのない限り、照明器具１がシステム天井５に設置されているときの状態を基準として、照明器具１の方向を規定して説明する。具体的には、図１に示す向きにおいて、照明器具１の高さ方向を上下方向、照明器具１の長手方向を前後方向、（後述する）一対の第１の側板３０Ａ，３０Ａが並ぶ方向を左右方向と規定する。
【００２９】
照明器具１は、図１及び図３に示すように、光源２と、器具本体３と、を備える。
【００３０】
光源２は、全体として前後方向に沿って延びる長尺形状に形成されている。光源２は、器具本体３（の取付台３６）に対して着脱可能に取り付けられる。光源２は、長尺の絶縁基板（例えばセラミック基板）と、当該絶縁基板の表面（下面）において前後方向に沿って並べて実装された複数のＬＥＤ（発光ダイオード）と、を備える。
【００３１】
さらに光源２は、取付部材と、（ＬＥＤが実装された）上記絶縁基板の下面を覆うように当該取付部材に取り付けられるカバー２０と、を備える。カバー２０は、透光性を有する材料（例えば、アクリル樹脂等）により、長尺の略半円筒形状に形成されている。上記取付部材は、器具本体３の取付台３６に着脱可能に取り付けられる。なお、上記取付部材の上面には、上記複数のＬＥＤに電力を供給するための電源回路を有した電源装置等が取り付けられている。
【００３２】
器具本体３は、図１及び図３に示すように、下面が開放された箱形状に形成されている。器具本体３は、光源２を開放された下面から照明空間に露出するように支持する。器具本体３は、図１に示すように、取付台３６と、天板３５と、一対の第１の側板３０（３０Ａ，３０Ａ）と、一対の第２の側板３０（３０Ｂ，３０Ｂ）と、を備える。
【００３３】
天板３５は、鋼板などの金属板によって、長尺の矩形板状に形成されている。天板３５は、照明器具１がシステム天井５に配置されているときに、天井スラブと対向する。天板３５の周縁には、４つの側板３０が接合されている。なお、天板３５には、天井裏側へ空気を逃がすための１又は複数の空気孔が、天板３５の厚み方向に貫通して設けられていてもよい。
【００３４】
取付台３６は、鋼板などの金属板によって、全体として長尺の直方体形状に形成されている。取付台３６は、例えばネジ止めによって天板３５に固定されている。取付台３６は、その下面において、光源２を収納するための凹所を有している。この凹所は、上方に窪んでおり、上下方向から見て前後方向に沿って細長く形成されている。光源２は、カバー２０が取付台３６の下面から下方に突出するように、取付台３６の上記凹所内に嵌め込まれている。
【００３５】
一対の第１の側板３０Ａ，３０Ａの各々は、鋼板などの金属板によって、全体として長尺の台形板状に形成されている。すなわち、各第１の側板３０Ａの上端の前後方向における寸法は、その下端の前後方向における寸法よりも短い。
【００３６】
第１の側板３０Ａ，３０Ａの上端は、天板３５の左右端にそれぞれ接合されている。第１の側板３０Ａ，３０Ａの長手方向は、天板３５の長手方向と平行である。第１の側板３０Ａ，３０Ａは、左右方向において並んでいる。
【００３７】
各第１の側板３０Ａにおいて、光源２と対向する表面上には、例えば高反射白色粉体塗装が施されている。つまり、各第１の側板３０Ａは、図１〜図３に示すように、光源２の光を照明空間側へ反射するための反射面３１Ａを有している。第１の側板３０Ａ，３０Ａは、それらの反射面３１Ａ，３１Ａが、光源２を間に介して互いに向い合うように配置されている。ただし、第１の側板３０Ａ，３０Ａは、それらの反射面３１Ａ，３１Ａが、光源２の光を効率よく照明空間側へ反射するために、前後方向に沿って見たときに下方向に行くにつれて徐々に外側へ広がるように傾斜している。
【００３８】
一対の第２の側板３０Ｂ，３０Ｂの各々は、鋼板などの金属板によって、全体として台形板状に形成されている。すなわち、各第２の側板３０Ｂの上端の左右方向における寸法は、その下端の左右方向における寸法よりも短い。また、各第２の側板３０Ｂの下端の左右方向における寸法は、各第１の側板３０Ａの下端の前後方向における寸法よりも短い。
【００３９】
第２の側板３０Ｂ，３０Ｂの上端は、天板３５の前後端にそれぞれ接合されている。天板３５の長手方向は、各第２の側板３０Ｂの一表面に対して略垂直である。第２の側板３０Ｂ，３０Ｂは、前後方向において並んでいる。要するに、第２の側板３０Ｂ，３０Ｂは、互いに対向し、第１の側板３０Ａ，３０Ａを架け渡すように結合されている。
【００４０】
各第２の側板３０Ｂにおいて、光源２と対向する表面上には、例えば高反射白色粉体塗装が施されている。つまり、各第２の側板３０Ｂは、図１及び図３に示すように、光源２の光を照明空間側へ反射するための反射面３１Ｂを有している。第２の側板３０Ｂ，３０Ｂは、それらの反射面３１Ｂ，３１Ｂが、光源２を間に介して互いに向い合うように配置されている。
【００４１】
各第２の側板３０Ｂは、その左右端が、第１の側板３０Ａ，３０Ａの前端（又は後端）とそれぞれ接合されている。要するに、第１の側板３０Ａ，３０Ａ及び第２の側板３０Ｂ，３０Ｂは、光源２を、前後左右方向から囲むように接合されている。
【００４２】
ここで、本実施形態において、器具本体３は、図２に示すように、延長部３２と、起立部３３と、突出部３４と、をさらに備える。なお、本実施形態では、第１の側板３０Ａ，３０Ａの各々に対してのみ、延長部３２、起立部３３及び突出部３４が設けられている。つまり、第２の側板３０Ｂ，３０Ｂの各々に対しては、延長部３２、起立部３３及び突出部３４が設けられていない。
【００４３】
なお、以下では、説明の簡略化のために、第１の側板３０Ａ，３０Ａのうち一方（右側の第１の側板３０Ａ）に設けられた延長部３２、起立部３３及び突出部３４についてのみ、図２を参照して説明する。ただし、他方（左側の第１の側板３０Ａ）にも同様に延長部３２、起立部３３及び突出部３４は設けられている（図１参照）。
【００４４】
本実施形態では、第１の側板３０Ａ、延長部３２、起立部３３及び突出部３４は、１枚の鋼板に折り曲げ加工を施すことで形成されている。
【００４５】
延長部３２は、器具本体３の前後方向に沿って長尺の板形状に形成されている。延長部３２は、図２に示すように、第１の側板３０Ａの反射面３１Ａと前後方向にわたって連続する反射面３２Ａを有し、照明空間に向かって一方向（図２では右斜め下方向）に延びる。反射面３２Ａは、反射面３１Ａと面一である。延長部３２の厚み方向は、第１の側板３０Ａの厚み方向と平行であり、上下方向と交差している。要するに、第１の側板３０Ａ及び延長部３２は、全体として一方向に沿って傾斜した１つの長尺の台形板形状に形成されている。
【００４６】
起立部３３は、器具本体３の前後方向に沿って長尺の板形状に形成されている。起立部３３は、延長部３２の先端３２Ｂから、照明空間と離れる方向（上方向）に起き立つように構成されている。つまり、起立部３３の厚み方向は、左右方向と平行である。
【００４７】
突出部３４は、器具本体３の前後方向に沿って長尺の板形状に形成されている。突出部３４は、起立部３３から、光源２と離れる方向（図２では右方向）に突出する。つまり、突出部３４の厚み方向は、上下方向と平行である。
【００４８】
そして、器具本体３は、図２に示すように、各第１の側板３０Ａの突出部３４が、隣り合う第１のＴバー６Ａ，６Ａのうち、対応する第１のＴバー６Ａの一方のフランジ７Ａ（図２では左方のフランジ７Ａ）に載せ置かれる。その結果、器具本体３は、図１に示すように、第１のＴバー６Ａ，６Ａ間で支持される。
【００４９】
ここで、延長部３２は、図２に示すように、突出部３４が上記対応する第１のＴバー６Ａの一方のフランジ７Ａに載せ置かれたときに、化粧部８Ａの一側面８０Ａを覆う位置まで延びている。言い換えると、化粧部８の一側面８０は、照明空間側から延長部３２の反射面３２Ａと交差する方向から見たときに、反射面３２Ａの裏側に隠れることになる。したがって、光源２から化粧部８に向かって放射された光は、その手前に配置された延長部３２の反射面３２Ａによって反射される。
【００５０】
要するに、図２に示すように、照明器具１（の反射面３２Ａ）と第１のＴバー６Ａ（の化粧部８の表面）との間の段差９（又は隙間）が、光源２から放射された光が直接当たる位置に形成されていない。したがって、反射効率の低下を抑えることができる。また、光源２から放射された光が段差９に直接当たらないため、段差９による影は目立たない。したがって、照明空間において照明器具１の見栄えを良くすることができる。
【００５１】
ところで、本実施形態における光源２は、一方向（前後方向）に対して比較的長く形成されている。そして、カバー２０のカバーエンド部分（前後端部分）と対向する第２の側板３０Ｂ，３０Ｂに関しては、左右方向における寸法が比較的短い。そのため、第２の側板３０Ｂと第２のＴバー６Ｂとの段差（又は隙間）は、光源２から放射された光が直接当たる位置に形成されていても、その段差による影は、目立ちにくい。したがって、本実施形態のように、第２の側板３０Ｂ，３０Ｂの各々に対しては、延長部３２、起立部３３及び突出部３４が設けられていなくてもよい。
【００５２】
この場合、第２の側板３０Ｂ，３０Ｂの下端は、図３に示すように、第２のＴバー６Ｂ，６Ｂのフランジ７Ｂ，７Ｂにそれぞれ直接載せ置かれる。したがって、各第２のＴバー６Ｂの化粧部８Ｂの一側面８０Ｂは、照明空間に露出している。
【００５３】
なお、延長部３２、起立部３３及び突出部３４は、全ての側板３０の各々に対して設けられていてもよい。しかし、以下の理由により、上述のように第１の側板３０Ａ，３０Ａの各々に対してのみ設けることが好ましい。
【００５４】
第１の理由として、全ての側板３０の各々に対して設ける場合に比べて、コストの削減を図ることができる。第２の理由として、全ての側板３０の各々に対して設ける場合に比べて、照明器具１の設置作業性において優れている。具体的には、照明器具１をシステム天井５に設置する際に、作業者は、第２の側板３０Ｂの下端に手を掛けて、第１の側板３０Ａ側の突出部３４を第１のＴバー６Ａのフランジ７Ａに容易に載せ置くことができる。要するに、第２の側板３０Ｂ側に、延長部３２、起立部３３及び突出部３４が設けられていないことで、作業者が手を掛けて作業できる空間を形成することができる。
【００５５】
なお、延長部３２の先端３２Ｂは、鉛直方向において化粧部８の下面８１と同じ位置にあるのではなく、下面８１よりも下方に位置していてもよい。つまり、延長部３２は、化粧部８の下面８１よりも照明空間に突出するように延びていてもよい。ただし、照明空間において照明器具１の見栄えをより良くすることができるという点を考慮すれば、延長部３２の先端３２Ｂは、鉛直方向において化粧部８の下面８１と同じ位置にある方が好ましい。
【００５６】
（３）利点
以上説明したように、第１の態様に係る照明器具１は、互いに対向する少なくとも一対のＴバー６によって支持される。照明器具１は、光源２と器具本体３とを備える。器具本体３は、一面が開放された箱形状に形成される。照明器具１は、光源２を開放された当該一面から照明空間に露出するように支持する。器具本体３は、少なくとも一対の側板３０と、延長部３２と、起立部３３と、突出部３４と、を備える。一対の側板３０は、各々が光源２と対向する反射面３１を有し、互いに対向する。延長部３２は、一対の側板３０の各々の反射面３１と連続する反射面３２Ａを有し、照明空間に向かって一方向に延びる。起立部３３は、延長部３２の上記一方向における先端３２Ｂから照明空間と離れる方向に起き立つ。突出部３４は、起立部３３から光源２と離れる方向に突出する。器具本体３は、突出部３４が一対のＴバー６のうち対応するＴバー６のフランジ７に載せ置かれることで、一対のＴバー６に支持される。フランジ７は、照明空間に露出する化粧部８を有する。延長部３２は、突出部３４が上記対応するＴバー６のフランジ７に載せ置かれたときに化粧部８における光源２と対向する一側面８０を覆う位置まで延びている。
【００５７】
この構成によれば、反射効率の低下を抑えることができ、更に、照明空間における照明器具１の見栄えを良くすることができる。
【００５８】
また、第２の態様に係る照明器具１は、第１の態様において、一対のＴバー６としての一対の第１のＴバー６Ａに加えて、互いに対向する一対の第２のＴバー６Ｂによってさらに支持されることが好ましい。一対の第２のＴバー６Ｂは、一対の第１のＴバー６Ａを架け渡すように設置される。光源２は、長尺状に形成されることが好ましい。器具本体３は、一対の側板３０としての一対の第１の側板３０Ａに加えて、一対の第１の側板３０Ａを架け渡すように結合された互いに対向する一対の第２の側板３０Ｂを、さらに備えることが好ましい。一対の第１の側板３０Ａは、光源２の長手方向に沿って長尺状に形成される。延長部３２、起立部３３及び突出部３４は、一対の第１の側板３０Ａ及び一対の第２の側板３０Ｂのうち一対の第１の側板３０Ａの各々のみに設けられることが好ましい。突出部３４は、一対の第１のＴバー６Ａの各々におけるフランジ７Ａに載せ置かれ、一対の第２の側板３０Ｂは、一対の第２のＴバー６Ｂのフランジ７Ｂに直接載せ置かれることが好ましい。
【００５９】
この構成によれば、延長部３２、起立部３３及び突出部３４を全ての側板３０の各々に対して設ける場合に比べて、コストの削減を図ることができ、更に、照明器具１の設置作業性を向上させることができる。
【００６０】
また、第３の態様に係る照明器具１として、第１又は第２の態様において、延長部３２の先端３２Ｂは、突出部３４が対応するＴバー６のフランジ７に載せ置かれたときに、鉛直方向において化粧部８の下面８１と同じ位置にあることが好ましい。
【００６１】
この構成によれば、照明空間における照明器具１の見栄えをより良くすることができる。
【符号の説明】
【００６２】
１  照明器具
２  光源
３  器具本体
３０  側板
３０Ａ  第１の側板
３０Ｂ  第２の側板
３１  反射面
３２  延長部
３２Ａ  反射面
３２Ｂ  先端
３３  起立部
３４  突出部
５  システム天井
６  Ｔバー
６Ａ  第１のＴバー
６Ｂ  第２のＴバー
７  フランジ
７Ａ  第１のＴバーのフランジ
７Ｂ  第２のＴバーのフランジ
８  化粧部
８０  一側面
【図１】
2018006095.tif 000003
【図２】
2018006095.tif 000004
【図３】
2018006095.tif 000005